(57)【要約】【課題】本体部の上面に開口した縦型チャンバーを開閉する蓋が、本体部の上面に一端を横方向回動可能に支持したアームに対し、上下動可能に螺旋結合したハンドル軸の回転によって上下に開閉するよう構成した蒸気滅菌器において、チャンバー内の圧力が高いときはハンドル軸の回転を、ハンドルと本体部とに亘る鎖によって阻止して、蓋が開かないようにする安全装置を提供する。【解決手段】ハンドルに一端部を取り付け他端部にロック受け部を有する鎖と、本体部に形成されたロック受け部の差し込み部と、アームの自由端の上動位置を検出する検出スイッチと、ロックピンを有するロックソレノイド装置を備え、ロック受け部が差し込み部の正規位置へ差し込まれたことを検出スイッチが検知したとき、ロックソレノイド装置によってロックピンがロック受け部の引き抜き阻止状態となり、この引き抜き阻止状態において、蓋を開く方向へのハンドルの回転は、鎖がハンドル側面に係止することによって阻止されること。【選択図】図３
2010131252.tif 000002
【特許請求の範囲】
【請求項１】
本体部の上面に開口した縦型チャンバーと、前記開口周縁部に密着する環状パッキンを
備えて前記開口を開閉する蓋と、前記本体部の上面に前記開口を挟む位置に支持部と抑え
部が配置され自由端が前記抑え部に対して上下動可能になるよう他端部が前記支持部に横
方向回動可能に支持されたアームと、上端部にハンドルを備え下端部に前記蓋を支持し中
間部に形成した雄螺子が前記アームを上下に貫通する雌螺子部に螺合するハンドル軸を有
し、前記ハンドルの回転に伴う前記ハンドル軸の回転によって生じる前記アームの自由端
の上動が前記抑え部により制限されると共に前記蓋の下動により前記開口が閉止され、前
記チャンバー内で被滅菌物を蒸気にて滅菌する蒸気滅菌器において、
前記ハンドルの回転中心部に一端部が取り付けられ他端部にロック受け部を有する鎖と
、前記本体部の上面側に設けた前記ロック受け部の差し込み部と、前記差し込み部に対応
配置され非通電・通電にてロックピンを突出・退避作動するロックソレノイド装置を備え
、
前記ロック受け部が前記差し込み部の正規位置へ差し込まれた状態において、前記ロッ
クソレノイド装置の動作によって前記ロックピンが前記ロック受け部の引き抜き阻止状態
となり、この引き抜き阻止状態において、前記蓋を開く方向への前記ハンドルの回転が前
記鎖によって阻止されることを特徴とする蒸気滅菌器。
【請求項２】
本体部の上面に開口した縦型チャンバーと、前記開口周縁部に密着する環状パッキンを
備えて前記開口を開閉する蓋と、前記本体部の上面に前記開口を挟む位置に支持部と抑え
部が配置され自由端が前記抑え部に対して上下動可能になるよう他端部が前記支持部に横
方向回動可能に支持されたアームと、上端部にハンドルを備え下端部に前記蓋を支持し中
間部に形成した雄螺子が前記アームを上下に貫通する雌螺子部に螺合するハンドル軸を有
し、前記ハンドルの回転に伴う前記ハンドル軸の回転によって生じる前記アームの自由端
の上動が前記抑え部により制限されると共に前記蓋の下動により前記開口が閉止され、前
記チャンバー内で被滅菌物を蒸気にて滅菌する蒸気滅菌器において、
前記ハンドルの回転中心部に一端部が取り付けられ他端部にロック受け部を有する鎖と
、前記本体部の上面側に設けた前記ロック受け部の差し込み部と、前記ロック受け部が前
記差し込み部の正規位置へ差し込まれたことを検出する検出スイッチと、非通電・通電に
てロックピンを突出・退避作動するロックソレノイド装置を備え、
前記ロック受け部が前記差し込み部の正規位置へ差し込まれたことを前記検出スイッチ
が検知したとき、前記ロックソレノイド装置によって前記ロックピンが前記ロック受け部
の引き抜き阻止状態となり、この引き抜き阻止状態において、前記蓋を開く方向への前記
ハンドルの回転が前記鎖によって阻止されることを特徴とする蒸気滅菌器。
【請求項３】
本体部の上面に開口した縦型チャンバーと、前記開口周縁部に密着する環状パッキンを
備えて前記開口を開閉する蓋と、前記本体部の上面に前記開口を挟む位置に支持部と抑え
部が配置され自由端が前記抑え部に対して上下動可能になるよう他端部が前記支持部に横
方向回動可能に支持されたアームと、上端部にハンドルを備え下端部に前記蓋を支持し中
間部に形成した雄螺子が前記アームを上下に貫通する雌螺子部に螺合するハンドル軸を有
し、前記ハンドルの回転に伴う前記ハンドル軸の回転によって生じる前記アームの自由端
の上動が前記抑え部により制限されると共に前記蓋の下動により前記開口が閉止され、前
記チャンバー内で被滅菌物を蒸気にて滅菌する蒸気滅菌器において、
前記抑え部に設けられ前記アームの自由端の上動位置を検出する第１検出スイッチと、
前記ハンドルの回転中心部に一端部が取り付けられ他端部にロック受け部を有する鎖と、
前記本体部の上面側に設けた前記ロック受け部の差し込み部と、前記ロック受け部が前記
差し込み部の正規位置へ差し込まれたことを検出する第２検出スイッチと、通電にてロッ
クピンを退避位置に維持し非通電にて前記ロックピンが突出するロックソレノイド装置と
を備え、
前記蒸気滅菌器の電源投入により前記ロックソレノイド装置が通電され、前記第１検出
スイッチによる前記アームの検出及び前記第２検出スイッチによる前記ロック受け部の差
し込みの検出に基づき滅菌動作開始可能状態となり、前記第１スイッチ及び第２スイッチ
による検出、又は滅菌動作スタートスイッチの動作に基づく前記ロックソレノイド装置の
非通電により前記ロックピンが前記ロック受け部の引き抜き阻止位置へ突出して前記蓋を
開く方向への前記ハンドルの回転が前記鎖によって阻止されることを特徴とする蒸気滅菌
器。
【請求項４】
本体部の上面に開口した縦型チャンバーと、前記開口周縁部に密着する環状パッキンを
備えて前記開口を開閉する蓋と、前記本体部の上面に前記開口を挟む位置に支持部と抑え
部が配置され自由端が前記抑え部に対して上下動可能になるよう他端部が前記支持部に横
方向回動可能に支持されたアームと、上端部にハンドルを備え下端部に前記蓋を支持し中
間部に形成した雄螺子が前記アームを上下に貫通する雌螺子部に螺合するハンドル軸を有
し、前記ハンドルの回転に伴う前記ハンドル軸の回転によって生じる前記アームの自由端
の上動が前記抑え部により制限されると共に前記蓋の下動により前記開口が閉止され、前
記チャンバー内で被滅菌物を蒸気にて滅菌する蒸気滅菌器において、
前記抑え部に設けられ前記アームの自由端の上動位置を検出する第１検出スイッチと、
前記ハンドルの回転中心部に一端部が取り付けられ他端部にロック受け部を有する鎖と、
前記本体部の上面側に設けた前記ロック受け部の差し込み部と、前記ロック受け部が前記
差し込み部の正規位置へ差し込まれたことを検出する第２検出スイッチと、通電にてロッ
クピンを退避位置とし非通電にて前記ロックピンが突出するロックソレノイド装置と、前
記ロックピンの作動を検出する第３検出スイッチと、前記チャンバー内の圧力検知部を備
え、
前記蒸気滅菌器の電源投入又は前記第１検出スイッチによる前記アームの検出にて前記
ロックソレノイド装置に通電されて前記ロック受け部が前記差し込み部の正規位置へ差し
込み可能状態となり、前記ロック受け部の正規位置への差し込みを第２検出スイッチが検
出したことにより前記ロックソレノイド装置の非通電により前記ロックピンが前記ロック
受け部の引き抜き阻止位置へ突出して、前記蓋を開く方向への前記ハンドルの回転が前記
鎖によって阻止されると共に前記ロックピンの突出にて前記第３検出スイッチが作動して
滅菌動作開始可能状態となり、滅菌動作終了に伴う前記チャンバー内の圧力低下が前記圧
力検知部により検出されたとき、前記ロックソレノイド装置の通電にて前記ロックピンが
退避して前記ロック受け部の引き抜き阻止を解除することを特徴とする蒸気滅菌器。
【発明の詳細な説明】
【技術分野】
【０００１】
本発明は、主として病院等に設置して医療用器具等の被滅菌物を高温蒸気下で滅菌する
蒸気滅菌器に関し、特に、本体部の上面に開口した縦型チャンバーを開閉する蓋の閉止保
持装置に関する。
【背景技術】
【０００２】
本体部の上面に開口した縦型チャンバーを蓋で開閉する蒸気滅菌器において、前記本体
部の上面に前記開口を挟む位置に支持部と抑え部が配置され一端部が前記抑え部に対して
上下動可能なるよう他端部が前記支持部に左右方向回動可能に支持されたアームと、上端
部にハンドルを備え下端部に前記蓋を回転可能に支持し中間部に形成した雄螺旋が前記ア
ームを上下に貫通する雌螺旋部に螺合するハンドル軸を有し、前記ハンドルによる前記ハ
ンドル軸の回転によって前記抑え部に対する前記アームの一端部の上動制限と共に前記蓋
の下動により前記開口が閉止され、前記チャンバー内で被滅菌物を蒸気にて滅菌するもの
がある。（特許文献１参照）。
【特許文献１】特開平１１−２７６５５７号公報
【発明の開示】
【発明が解決しようとする課題】
【０００３】
この特許文献１のものは、蓋の裏側に設けた環状パッキンが外れたときの安全策に係る
技術である。しかし、滅菌動作中または滅菌動作終了直後に、ハンドルの操作によって蓋
を開けば、チャンバー内の上昇した圧力によって高温蒸気が流出し危険であるが、これを
防止する技術については記載されていない。
【０００４】
本発明は、上記のような蒸気滅菌器において、比較的簡単な部品の追加にて、ハンドル
操作によって蓋を開くことができない閉止保持装置（インターロック機構）を設けるもの
である。このインターロック機構は、例えば滅菌動作が開始した後は、チャンバー内の圧
力が上昇した状態であれば、ハンドルの操作によって蓋を開くことができないようにして
、上記のような危険を回避できる技術を提供するものである。特に、使用中である上記の
ような蒸気滅菌器に対して、蓋の閉止保持装置を追加することによって、使用中である上
記のような蒸気滅菌器の安全性を容易に向上させることができる技術を提供するものであ
る。
【課題を解決するための手段】
【０００５】
本発明の蒸気滅菌器は、本体部の上面に開口した縦型チャンバーと、前記開口周縁部に
密着する環状パッキンを備えて前記開口を開閉する蓋と、前記本体部の上面に前記開口を
挟む位置に支持部と抑え部が配置され自由端が前記抑え部に対して上下動可能になるよう
他端部が前記支持部に横方向回動可能に支持されたアームと、上端部にハンドルを備え下
端部に前記蓋を支持し中間部に形成した雄螺子が前記アームを上下に貫通する雌螺子部に
螺合するハンドル軸を有し、前記ハンドルの回転に伴う前記ハンドル軸の回転によって生
じる前記アームの自由端の上動が前記抑え部により制限されると共に前記蓋の下動により
前記開口が閉止され、前記チャンバー内で被滅菌物を蒸気にて滅菌する蒸気滅菌器におい
て、
前記ハンドルの回転中心部に一端部が取り付けられ他端部にロック受け部を有する鎖と
、前記本体部の上面側に設けた前記ロック受け部の差し込み部と、前記差し込み部に対応
配置され非通電・通電にてロックピンを突出・退避作動するロックソレノイド装置を備え
、
前記ロック受け部が前記差し込み部の正規位置へ差し込まれた状態において、前記ロッ
クソレノイド装置の動作によって前記ロックピンが前記ロック受け部の引き抜き阻止状態
となり、この引き抜き阻止状態において、前記蓋を開く方向への前記ハンドルの回転が前
記鎖によって阻止されることを特徴とする。
【０００６】
また、本発明の蒸気滅菌器は、本体部の上面に開口した縦型チャンバーと、前記開口周
縁部に密着する環状パッキンを備えて前記開口を開閉する蓋と、前記本体部の上面に前記
開口を挟む位置に支持部と抑え部が配置され自由端が前記抑え部に対して上下動可能にな
るよう他端部が前記支持部に横方向回動可能に支持されたアームと、上端部にハンドルを
備え下端部に前記蓋を支持し中間部に形成した雄螺子が前記アームを上下に貫通する雌螺
子部に螺合するハンドル軸を有し、前記ハンドルの回転に伴う前記ハンドル軸の回転によ
って生じる前記アームの自由端の上動が前記抑え部により制限されると共に前記蓋の下動
により前記開口が閉止され、前記チャンバー内で被滅菌物を蒸気にて滅菌する蒸気滅菌器
において、
前記ハンドルの回転中心部に一端部が取り付けられ他端部にロック受け部を有する鎖と
、前記本体部の上面側に設けた前記ロック受け部の差し込み部と、前記ロック受け部が前
記差し込み部の正規位置へ差し込まれたことを検出する検出スイッチと、非通電・通電に
てロックピンを突出・退避作動するロックソレノイド装置を備え、
前記ロック受け部が前記差し込み部の正規位置へ差し込まれたことを前記検出スイッチ
が検知したとき、前記ロックソレノイド装置によって前記ロックピンが前記ロック受け部
の引き抜き阻止状態となり、この引き抜き阻止状態において、前記蓋を開く方向への前記
ハンドルの回転が前記鎖によって阻止されることを特徴とする。
【０００７】
また、本発明の蒸気滅菌器は、本体部の上面に開口した縦型チャンバーと、前記開口周
縁部に密着する環状パッキンを備えて前記開口を開閉する蓋と、前記本体部の上面に前記
開口を挟む位置に支持部と抑え部が配置され自由端が前記抑え部に対して上下動可能にな
るよう他端部が前記支持部に横方向回動可能に支持されたアームと、上端部にハンドルを
備え下端部に前記蓋を支持し中間部に形成した雄螺子が前記アームを上下に貫通する雌螺
子部に螺合するハンドル軸を有し、前記ハンドルの回転に伴う前記ハンドル軸の回転によ
って生じる前記アームの自由端の上動が前記抑え部により制限されると共に前記蓋の下動
により前記開口が閉止され、前記チャンバー内で被滅菌物を蒸気にて滅菌する蒸気滅菌器
において、
前記抑え部に設けられ前記アームの自由端の上動位置を検出する第１検出スイッチと、
前記ハンドルの回転中心部に一端部が取り付けられ他端部にロック受け部を有する鎖と、
前記本体部の上面側に設けた前記ロック受け部の差し込み部と、前記ロック受け部が前記
差し込み部の正規位置へ差し込まれたことを検出する第２検出スイッチと、通電にてロッ
クピンを退避位置に維持し非通電にて前記ロックピンが突出するロックソレノイド装置と
を備え、
前記蒸気滅菌器の電源投入により前記ロックソレノイド装置が通電され、前記第１検出
スイッチによる前記アームの検出及び前記第２検出スイッチによる前記ロック受け部の差
し込みの検出に基づき滅菌動作開始可能状態となり、前記第１スイッチ及び第２スイッチ
による検出、又は滅菌動作スタートスイッチの動作に基づく前記ロックソレノイド装置の
非通電により前記ロックピンが前記ロック受け部の引き抜き阻止位置へ突出して前記蓋を
開く方向への前記ハンドルの回転が前記鎖によって阻止されることを特徴とする。
【０００８】
更に、本発明の蒸気滅菌器は、本体部の上面に開口した縦型チャンバーと、前記開口周
縁部に密着する環状パッキンを備えて前記開口を開閉する蓋と、前記本体部の上面に前記
開口を挟む位置に支持部と抑え部が配置され自由端が前記抑え部に対して上下動可能にな
るよう他端部が前記支持部に横方向回動可能に支持されたアームと、上端部にハンドルを
備え下端部に前記蓋を支持し中間部に形成した雄螺子が前記アームを上下に貫通する雌螺
子部に螺合するハンドル軸を有し、前記ハンドルの回転に伴う前記ハンドル軸の回転によ
って生じる前記アームの自由端の上動が前記抑え部により制限されると共に前記蓋の下動
により前記開口が閉止され、前記チャンバー内で被滅菌物を蒸気にて滅菌する蒸気滅菌器
において、
前記抑え部に設けられ前記アームの自由端の上動位置を検出する第１検出スイッチと、
前記ハンドルの回転中心部に一端部が取り付けられ他端部にロック受け部を有する鎖と、
前記本体部の上面側に設けた前記ロック受け部の差し込み部と、前記ロック受け部が前記
差し込み部の正規位置へ差し込まれたことを検出する第２検出スイッチと、通電にてロッ
クピンを退避位置とし非通電にて前記ロックピンが突出するロックソレノイド装置と、前
記ロックピンの作動を検出する第３検出スイッチと、前記チャンバー内の圧力検知部を備
え、
前記蒸気滅菌器の電源投入又は前記第１検出スイッチによる前記アームの検出にて前記
ロックソレノイド装置に通電されて前記ロック受け部が前記差し込み部の正規位置へ差し
込み可能状態となり、前記ロック受け部の正規位置への差し込みを第２検出スイッチが検
出したことにより前記ロックソレノイド装置の非通電により前記ロックピンが前記ロック
受け部の引き抜き阻止位置へ突出して、前記蓋を開く方向への前記ハンドルの回転が前記
鎖によって阻止されると共に前記ロックピンの突出にて前記第３検出スイッチが作動して
滅菌動作開始可能状態となり、滅菌動作終了に伴う前記チャンバー内の圧力低下が前記圧
力検知部により検出されたとき、前記ロックソレノイド装置の通電にて前記ロックピンが
退避して前記ロック受け部の引き抜き阻止を解除することを特徴とする。
【発明の効果】
【０００９】
本発明によって、ロック受け部が差し込み部の正規位置へ差し込まれた状態で、ロック
ソレノイド装置によってロックピンがロック受け部の引き抜きを阻止するため、ハンドル
操作によって蓋を開くことができないので安全である。特に、滅菌動作が開始した後は、
滅菌動作中は勿論のことチャンバー内の圧力が上昇した状態であれば、ハンドルの操作に
よって蓋を開くことができないことにより、蒸気の流出による危険を回避できる。また、
既に使用中である蒸気滅菌器に対して、本発明の蓋の閉止保持装置を追加することによっ
て、既存の蒸気滅菌器の安全性を容易に向上させることができるものとなり、既存の蒸気
滅菌器の買い替えなしに安全に継続使用が可能となり、経費節減効果も十分発揮できるも
のとなる。
【発明を実施するための最良の形態】
【００１０】
本発明の蒸気滅菌器は、本体部の上面に開口した縦型チャンバーと、前記開口周縁部に
密着する環状パッキンを備えて前記開口を開閉する蓋と、前記本体部の上面に前記開口を
挟む位置に支持部と抑え部が配置され自由端が前記抑え部に対して上下動可能になるよう
他端部が前記支持部に横方向回動可能に支持されたアームと、上端部にハンドルを備え下
端部に前記蓋を支持し中間部に形成した雄螺子が前記アームを上下に貫通する雌螺子部に
螺合するハンドル軸を有し、前記ハンドルの回転に伴う前記ハンドル軸の回転によって生
じる前記アームの自由端の上動が前記抑え部により制限されると共に前記蓋の下動により
前記開口が閉止され、前記チャンバー内で被滅菌物を蒸気にて滅菌する蒸気滅菌器におい
て、
前記ハンドルの回転中心部に一端部が取り付けられ他端部にロック受け部を有する鎖と
、前記本体部の上面側に設けた前記ロック受け部の差し込み部と、前記差し込み部に対応
配置され非通電・通電にてロックピンを突出・退避作動するロックソレノイド装置を備え
、
前記ロック受け部が前記差し込み部の正規位置へ差し込まれた状態において、前記ロッ
クソレノイド装置の動作によって前記ロックピンが前記ロック受け部の引き抜き阻止状態
となり、この引き抜き阻止状態において、前記蓋を開く方向への前記ハンドルの回転が前
記鎖によって阻止されるものであり、本発明の実施例を以下に記載する。
【実施例１】
【００１１】
本発明の実施例を図面に基づいて説明する。図１は本発明に係る蒸気滅菌器の蓋閉止保
持状態における全体斜視図、図２は本発明に係る蒸気滅菌器の蓋を開いて横に回動させた
状態を示す斜視図、図３は本発明に係る蒸気滅菌器の蓋を閉じた状態から横に回動させる
状態を示す平面図、図４は本発明に係る蒸気滅菌器の蓋の閉止保持状態を示す側面図、図
５は本発明に係る蒸気滅菌器のハンドルを回転させて蓋を閉じた状態の縦断側面図、図６
は本発明に係る蒸気滅菌器のハンドルを回転させて蓋を開いた状態の縦断側面図、図７は
本発明に係る蒸気滅菌器のロック受け部とロックソレノイド装置並びに関連する検出スイ
ッチの関係を示す斜視図、図８は本発明に係る蒸気滅菌器のロック受け部とロックソレノ
イド装置並びに関連する検出スイッチの関係を示す縦断正面図である。
【００１２】
本発明の蒸気滅菌器１は、本体部２の上面に開口３した円筒形状の縦型チャンバー４と
、開口３の周縁部に密着する環状パッキン６を備えて開口３を開閉する蓋５を備え、更に
、本体部２の上面に開口３を挟む位置に支持部７と抑え部８が配置され、自由端である一
端部が抑え部８に対して上下動可能になるよう支持端である他端部が支持部７に横方向回
動可能に支持されたアーム９と、上端部にハンドル１０を備え下端部に蓋５を回転可能に
支持し中間部に形成した雄螺子１１がアーム９を上下に貫通する雌螺子部１２に螺合する
ハンドル軸１３を有している。そして、ハンドル１０の一方向回転（正方向回転ともいう
）によるハンドル軸１３の一方向回転によって、抑え部８に対するアーム９の自由端が上
動（上方向移動）し、抑え部８の上辺８Ａによってこの上動（上方向移動）が制限され、
この動作と共に蓋５が下動するため、環状パッキン６がチャンバー４の上面開口３に当接
しつつ圧縮され、蓋５によってチャンバー４の上面開口３が閉止される。この状態におい
て、所期の滅菌動作が行われる。なお、ハンドル１０の逆方向回転によるハンドル軸１３
の逆方向回転によって、蓋５を開くことができる。ハンドル１０は、Ａ、Ｂ、Ｃ、Ｄの四
辺からなる矩形環状の操作部と、ハンドル１０の中央部をハンドル軸１３に取り付けるた
めに、操作部の対向する二辺Ａ、Ｂに渡るように装飾板（取り付け部材とも称する）１０
Ｓが設けられ、装飾板１０Ｓの中央部が螺子などにてハンドル軸１３に取り付けられた構
成である。
【００１３】
このような蒸気滅菌器１において、チャンバー４内の圧力が上昇した状態において、ハ
ンドル１０の操作によって蓋５を開けば、蒸気が流出して危険である。本発明は、この危
険を回避できる装置を提供するものであり、先ずその基本構成を記載する。
【００１４】
本発明の蒸気滅菌器１の基本構成は、ハンドル１０の回転中心部に一端部が取り付けら
れ他端部にロック受け部１６を有する鎖１７と、ロック受け部１６を差し込むために本体
部２の上面側（上面部と称してもよい）に設けた差し込み部１８と、非通電・通電にてロ
ックピン２１を突出・退避作動するロックソレノイド装置２０を備え、ロック受け部１６
が差し込み部１８の正規位置へ差し込まれた状態において、ロックソレノイド装置２０に
よってロックピン２１が突出してロック受け部１６の引き抜き阻止状態となり、この引き
抜き阻止状態において、蓋５を開く方向へのハンドル１０の回転が鎖１７によって阻止さ
れるものである。
【００１５】
この基本構成を採用した具体的な実施態様を以下に記載する。
【００１６】
先ず、第１の実施態様として、蒸気滅菌器１は、ハンドル１０の回転中心部に一端部が
取り付けられ他端部にロック受け部１６を有する鎖１７と、本体部２の上面側（上面部と
称してもよい）に設けたロック受け部１６の差し込み部１８と、ロック受け部１６が差し
込み部１８の正規位置へ差し込まれたことを検出する検出スイッチ１９と、非通電・通電
にてロックピン２１を突出・退避作動するロックソレノイド装置２０を備え、ロック受け
部１６が差し込み部１８の正規位置へ差し込まれた状態において、ロック受け部１６が差
し込み部１８の正規位置へ差し込まれたことを検出スイッチ１９が検知したとき、ロック
ソレノイド装置２０によってロックピン２１がロック受け部１６の引き抜き阻止状態とな
り、この引き抜き阻止状態において、蓋５を開く方向へのハンドル１０の回転が鎖１７に
よって阻止される構成である。
【００１７】
この場合、ロック受け部１６が差し込み部１８の正規位置へ差し込まれたことを検出ス
イッチ１９が検知したとき、ロックソレノイド装置２０がＯＦＦ（非通電）となって、ロ
ックピン２１がコイルスプリング２５によって突出して、ロック受け部１６の引き抜き阻
止状態となるように構成している。上記検出スイッチ１９は、機能的にはインターロック
スイッチ１９と称することもできるが、以下の説明では、第２検出スイッチ１９と称する
ものである。
【００１８】
本発明では、更に、蓋５によってチャンバー４の上面開口３が閉止された状態において
、第２検出スイッチ１９によりロック受け部１６が差し込み部１８の正規位置へ差し込ま
れた状態が検出されたことにより、ロックソレノイド装置２０が非通電状態となり、ロッ
ク受け部１６の引き抜き阻止状態となるように構成している。このため、蓋５によってチ
ャンバー４の上面開口３が閉止された状態を検出する検出スイッチ（後述の第１検出スイ
ッチ１５）を設け、この第１検出スイッチ１５と第２検出スイッチ１９とが動作した状態
で、ロックソレノイド装置２０が非通電状態となるように構成している。この場合、第１
検出スイッチ１５によりアーム９が検出され、且つ第２検出スイッチ１９によりロック受
け部１６が差し込み部１８の正規位置へ差し込まれた状態が検出されたことにより、後述
の制御部（図示せず）によって、ロックソレノイド装置２０が非通電状態となる。
【００１９】
前記基本構成を包含する第１の実施態様について、以下に説明する。
【００２０】
蒸気滅菌器１は、蓋５によってチャンバー４の上面開口３が閉止された状態を検出する
手段として、抑え部８に設けられアーム９の一端部の上動位置（上方向に移動した所定位
置）を検出する第１検出スイッチ１５を備えている。即ち、蒸気滅菌器１は、この第１検
出スイッチ１５と、ハンドル１０の上面側からハンドル１０の回転中心部に一端部が取り
付けられ他端部にロック受け部１６を有する鎖１７と、本体部２の上面側に形成されたロ
ック受け部１６の差し込み部１８と、ロック受け部１６が差し込み部１８の正規位置へ差
し込まれたことを検出する第２検出スイッチ１９と、通電にてロックピン２１をコイルス
プリング２５に抗して吸引位置に維持するロックソレノイド装置２０を備えている。
【００２１】
図に示すように、鎖１７の一端部は、ハンドル１０の上面側からハンドル１０の回転中
心部（本発明の目的を達成するためには、正確にハンドル１０の回転中心でなくてもよい
）取り付けられるようにするために、ハンドル１０の上面の中心部、またはハンドル軸１
３の上端が露出している場合はハンドル軸１３の上端部に取り付けられ、鎖１７の他端部
にロック受け部１６が取り付けられている。また、ロック受け部１６が差し込み部１８に
差し込まれたとき、鎖１７の中間部がハンドル１０の側面を斜めに横切るようにするため
に、差し込み部１８は、ハンドル１０の上面よりも低位置に設けている。図では、差し込
み部１８は、本体部２の上面側の奥に、上方へ突出して設けたコントロールボックス２Ａ
の正面に、ハンドル１０の上面よりも低位置に形成されている。また、ロックソレノイド
装置２０は、差し込み部１８に対応してコントロールボックス２Ａ内に設けられ、非通電
ではコイルスプリング２５にてロックピン２１が突出し、通電にてこのコイルスプリング
２５に抗してロックピン２１が吸引位置へ引っ込む構成である。更に、ロック受け部１６
には、突出したロックピン２１が侵入する係止孔１６Ａが形成され、係止孔１６Ａにロッ
クピン２１が侵入した状態が、ロック受け部１６の引き抜き阻止位置（引き抜き阻止状態
）となる。上記コントロールボックス２Ａには、蒸気滅菌器１の動作モードの選択、動作
条件の設定等のためのスイッチ操作部が配置され、これに関連する制御回路を有する制御
部（図示せず）等が収容されている。
【００２２】
更に具体的に説明する。アーム９は、支持部７に横方向回動可能、且つアーム９の自由
端が上動（上方向移動）可能に支持部７に支持されており、支持部７を軸としてアーム９
を所定の横方向に回動させることができる。このため、蓋５がチャンバー４内の上面開口
３の上方に上昇した状態において、アーム９を所定の横方向に回動させることにより、そ
れに伴って蓋５が所定の横方向に回動するため、チャンバー４内の上面開口３を外れた位
置へ蓋５を移動でき、チャンバー４内への被滅菌物の収容、及びチャンバー４内からの被
滅菌物の取り出しが可能となる。
【００２３】
このような構成において、電源スイッチのＯＮ等によって、蒸気滅菌器１の電源が印加
された状態（電源投入状態）になると、ロックソレノイド装置２０のコイル２０Ａに通電
され、ロックピン２１が吸引位置へ引っ込み、ロック受け部１６を差し込み部１８に差し
込み可能状態となる。しかし、鎖１７の他端部に取り付けたロック受け部１６を差し込み
部１８に差し込まない状態において、図３に二点鎖線で示すように、チャンバー４内の上
面開口３を外れた位置へ蓋５を移動してチャンバー４内へ被滅菌物を収容する。そして、
蓋５がチャンバー４内の上面開口３の上方位置となるようにアーム９を回動させると共に
、アーム９の自由端を抑え部８に嵌め込む。抑え部８は、一方向に受入口８Ｂを開放した
構成であり、アーム９の回動によってアーム９の自由端は、この受入口８Ｂから侵入し、
この受入口８Ｂの奥側に設けた停止部８Ｃに衝突した位置に保持される。この状態で、蓋
５はチャンバー４内の上面開口３の真上位置となる。
【００２４】
このように、蓋５がチャンバー４内の上面開口３の真上位置となった状態において、ハ
ンドル１０を正方向回転させてハンドル軸１３を正方向回転させることにより、ハンドル
軸１３がアーム９に対して下動（下方向移動）し、蓋５が下動する。蓋５の下動により環
状パッキン６がチャンバー４の上面開口３に当接しつつ圧縮され、上面開口３が閉塞され
る。この状態から更にハンドル１０を正方向回転させることにより、雄螺子１１と螺合す
る雌螺子部１２の関係によって、アーム９の自由端が上動（上方向移動）し、抑え部８の
上辺８Ａによってこの上動（上方向移動）が制限される。この状態から更にハンドル１０
を正方向回転させることにより、アーム９を基準とする支え状態でもって、環状パッキン
６を更に圧縮しつつハンドル軸１３と共に蓋５が下動（下方向移動）し、環状パッキン６
の更なる圧縮状態となり、チャンバー４内が気密状態となる。抑え部８の上辺８Ａには、
第１検出スイッチ１５が設けられているため、アーム９の自由端が上動（上方向移動）し
て抑え部８の上辺８Ａに当接したとき、第１検出イッチ１５が作動（この場合はスイッチ
ＯＮ）する。
【００２５】
このようにしてチャンバー４内が気密状態となった状態で、ロック受け部１６を差し込
み部１８に差し込む。このようにロック受け部１６が差し込み部１８の正規位置へ差し込
まれた状態で、鎖１７は、図１及び図３に示すように、略伸張した状態で鎖１７の中間部
がハンドル１０の側面を斜めに横切るように延びて、ロック受け部１６とハンドル１０の
中心部とに亘る状態となる。このようにロック受け部１６が差し込み部１８の正規位置へ
差し込まれた状態で、第２検出スイッチ１９が作動（この場合はスイッチＯＮ）する。な
お、このように差し込み部１８へロック受け部１６が挿入された状態を保持する保持機構
を設ければ、差し込み部１８へ差し込まれたロック受け部１６の保持が安定する。即ち、
保持機構としては、差し込み部１８へロック受け部１６が若干の抵抗をもって挿入され、
またこの抵抗に抗して引き抜こうとすれば引き抜き可能な仮止め機構を設けてもよい。
【００２６】
上記のように、第１検出スイッチ１５によりアーム９が検出され、且つ第２検出スイッ
チ１９によりロック受け部１６が差し込み部１８の正規位置へ差し込まれた状態が検出さ
れたことにより、前記制御部（図示せず）によって、ロックソレノイド装置２０が非通電
状態となり、上記のようにコイルスプリング２５によってロックピン２１が突出し、突出
したロックピン２１がロック受け部１６に形成した係止孔１６Ａに侵入して、ロック受け
部１６の引き抜き阻止状態（阻止位置）となる。また、ロックピン２１の突出によって第
３検出スイッチ２４が作動（この場合はスイッチＯＮ）する。この第３検出スイッチ２４
が作動（この場合はスイッチＯＮ）したことにより、前記制御部（図示せず）によって滅
菌動作開始可能状態となる。この状態で、コントロールボックス２Ａに設けた蒸気滅菌器
１の動作モードの選択、動作条件の設定等のためのスイッチ操作部を操作して、動作モー
ドの選択や動作条件の設定を行なった後、コントロールボックス２Ａに設けたスタートボ
タン２３を押すことにより、それに対応したコントロールボックス２Ａ内のスタートスイ
ッチが作動（この場合はスイッチＯＮ）して、滅菌動作の開始が指令され、滅菌動作が開
始する。
【００２７】
なお、第１検出スイッチ１５、第２検出スイッチ１９、第３検出スイッチ２４が、第１
検出スイッチ１５、第２検出スイッチ１９、第３検出スイッチ２４の順に作動したとき、
滅菌動作開始可能状態となるように前記制御部（図示せず）によって制御し、この順序に
よらない場合は滅菌動作開始可能状態とならないように前記制御部（図示せず）によって
制御すれば、蒸気滅菌器１の正規操作を達成できるものとなる。この場合、滅菌動作開始
可能状態とならないときは、前記制御部（図示せず）によって警告ランプの点灯またはブ
ザーの作動等の警報装置によって、滅菌動作開始可能状態になっていないことを警告すれ
ば、使用者はそれに気付き、前記電源スイッチを一旦ＯＦＦした後ＯＮするか、リセット
スイッチがあればそれをＯＮすることにより、最初から操作をやり直すことができる。
【００２８】
上記のようにロック受け部１６の引き抜き阻止状態においては、鎖１７は上記のように
、略伸張した状態で鎖１７の中間部がハンドル１０の側面を横切るように延びて、ロック
受け部１６とハンドル１０の中心部とに亘る状態を維持するものとなる。このため、図３
に二点鎖線で示すように、蓋５を開く方向へハンドル１０を回転させようとすれば、ハン
ドル１０の側面に鎖１７が係止して、鎖１７によってそれ以上にハンドル１０を回転させ
ることが阻止される。この場合に生じる若干のハンドル１０の回転、即ち、ハンドル１０
の側面に鎖１７が係止してハンドル１０の回転が阻止されるまでは、環状パッキン６の圧
縮状態を若干緩める方向となるが、この状態においても、環状パッキン６はチャンバー４
の上面開口３に当接した圧縮状態を保っているため、これによってチャンバー４内の気密
が損なわれることはない。これは、ハンドル１０を例えば１８０度回転させても、環状パ
ッキン６のシール性に影響を及ぼさない様に、雄螺子１１と雌螺子部１２のピッチを設定
することにより達成される。鎖１７は、このような機能が達成される長さに設定されてい
る。
【００２９】
上記の構成及び動作においては、蒸気滅菌器１の電源投入状態において、第１検出スイ
ッチ１５によりアーム９が検出され、且つ第２検出スイッチ１９によるロック受け部１６
の検出がされたことに基づき、滅菌動作開始可能状態となり、ロックソレノイド装置２０
の非通電状態によりロックピン２１がコイルスプリング２５によってロック受け部の引き
抜き阻止位置へ突出し、この突出状態で蓋５を開く方向へのハンドル１０の回転がハンド
ル１０の側面に係止する鎖１７によって阻止されるものである。
【００３０】
しかし、これに替わる第２の実施態様として、上記の構成において、前記滅菌動作スタ
ートスイッチの動作に基づき、ロックソレノイド装置２０が非通電となり、ロックピン２
１がロック受け部１６の引き抜き阻止位置へ突出して、蓋５を開く方向へのハンドル１０
の回転が鎖１７によって阻止されるように構成することができる。即ち、スタートボタン
２３を押すことにより、それに対応したコントロールボックス２Ａ内のスタートスイッチ
が作動（この場合はスイッチＯＮ）して、滅菌動作の開始が指令されると共に、ロックソ
レノイド装置２０の非通電により、ロックピン２１がロック受け部１６の引き抜き阻止位
置へ突出して、蓋５を開く方向へのハンドル１０の回転が鎖１７によって阻止されるよう
に構成してもよい。
【００３１】
上記第１または第２の実施態様のいずれにおいても、滅菌動作の開始によって、チャン
バー４内に自動的に所定量の水が注水される。なお、予めチャンバー４内に所定量の水を
溜めておく構成でもよい。また、この滅菌動作の開始によってチャンバー４内底部に設け
たヒータ（図示せず）に通電され、チャンバー４内の水が加熱蒸発し、制御部（図示せず
）によって滅菌動作が進行し、所定の滅菌工程、チャンバー４内の排気工程等、所定の工
程を行なって滅菌動作が終了する。
【００３２】
蒸気滅菌器１は、チャンバー４内の圧力を検知する圧力検知部（圧力センサとも称する
）２２を備えている。これは、チャンバー４内の排気工程によって、チャンバー４内が安
全な圧力低下状態になったことを検出することが一つの目的である。滅菌動作の終了によ
ってチャンバー４内の圧力が所定値以下に低下したことを圧力検知部２２が検知すること
によって、制御部（図示せず）によってロックソレノイド装置２０が通電状態となり、ロ
ックピン２１が吸引されてロック受け部１６に形成した係止孔１６Ａから退避し、ロック
受け部１６の引き抜き阻止状態が解除される。このためロック受け部１６を差し込み部１
８から引き抜くことによって、鎖１７によるハンドル１０の回転阻止が解除され、ハンド
ル１０を自由に回転することができる。このハンドル１０の回転によって、上記とは逆の
作用によって、蓋５が上方へ移動してチャンバー４の上面開口３から離れる。この状態で
、抑え部８から離れる方向へアーム９を回動させることによって、図３に二点鎖線で示す
ように、蓋５をチャンバー４の上面開口３から外れた位置へ回動し、チャンバー４内の被
滅菌物の取り出しを行なうことができる。
【００３３】
蓋５とハンドル軸１３との連結は、ハンドル軸１３の回転に伴って蓋５が回転するもの
でもよいが、この場合は環状パッキン６が上面開口３の縁部との摩擦によって、環状パッ
キン６が破損し易くなる。これを解決するために、図５、図６に示すように、ハンドル軸
１３の回転に伴って蓋５が回転しないように、ハンドル軸１３の下端１３Ａが蓋５の中心
部の係合部５Ａに遊嵌状態であり、これによって両者の連結が回転フリーの構成となって
いる。このため、ハンドル軸１３の回転に伴って蓋５は上下方向移動するが、蓋５は回転
しない構成である。
【実施例２】
【００３４】
前記基本構成を採用した本発明の実施例２を以下に説明する。この実施例２が実施例１
と異なるところは、ロックソレノイド装置２０の制御動作が異なることである。このため
、図１乃至図８に示した構成はこの実施例２に適用されるものであり、蒸気滅菌器１の制
御に係るスイッチ操作部等の配置構成を図９に示している。
【００３５】
図９にはコントロールボックス２Ａの上面に配置したスイッチ操作部等の配置構成の一
つを示している。図９において、２３はスタートボタン、２６は電源スイッチボタン、２
７はリセットスイッチボタン、２８は温度設定スイッチボタン、２９は時間設定スイッチ
ボタン、３０はＯＮ（押す）ごとに温度または時間をアップ（増加）させるアップスイッ
チボタン、３１はＯＮ（押す）ごとに温度または時間をダウン（減少）させるダウンスイ
ッチボタン、３２は温度設定スイッチボタン２８、時間設定スイッチボタン２９、アップ
スイッチボタン３０、及びダウンスイッチボタン３１によって設定した温度および時間を
表示する表示部、３３は圧力検知部（圧力センサとも称する）２２で検出したチャンバー
４内の圧力を表示する圧力計、３４はチャンバー４内の排気操作部である。排気操作部３
４は、左方向回転によってチャンバー４の排気弁が開いてチャンバー４内の排気が行なわ
れ、右方向回転によってチャンバー４の排気弁が閉じる構成である。なお、この図９の配
置は、実施例１のものにも適用できる。
【００３６】
図１乃至図８及び図９に示した構成に基づき、この実施例２の制御動作を以下に説明す
る。電源スイッチボタン２６のＯＮ操作によって、蒸気滅菌器１の電源が印加された状態
（電源投入状態）になる。この状態で、ロックソレノイド装置２０は非通電の状態である
。このため、ロックピン２１がコイルスプリング２５によって突出した状態であり、ロッ
ク受け部１６を差し込み部１８の正規位置まで差し込むことができない状態である。排気
操作部３４は、右方向回転によってチャンバー４の排気弁を閉じた状態とする。
【００３７】
この状態において、図３に二点鎖線で示すように、支持部７を軸としてチャンバー４内
の上面開口３を外れた位置へ蓋５を移動してチャンバー４内へ被滅菌物を収容する。そし
て、蓋５がチャンバー４内の上面開口３の上方位置となるようにアーム９を回動させると
共に、アーム９の自由端を抑え部８に嵌め込む。抑え部８は、一方向に受入口８Ｂを開放
した構成であり、アーム９の回動によってアーム９の自由端は、この受入口８Ｂから侵入
し、この受入口８Ｂの奥側に設けた停止部８Ｃに衝突した位置に保持される。この状態で
、蓋５はチャンバー４内の上面開口３の真上位置となる。
【００３８】
この状態で、ハンドル１０を正方向回転させてハンドル軸１３を正方向回転させること
により、ハンドル軸１３がアーム９に対して下動（下方向移動）し、蓋５が下動する。蓋
５の下動により環状パッキン６がチャンバー４の上面開口３に当接しつつ圧縮され、上面
開口３が閉塞される。この状態から更にハンドル１０を正方向回転させることにより、雄
螺旋１１と螺合する雌螺旋部１２の関係によって、アーム９の自由端が上動（上方向移動
）し、抑え部８の上辺８Ａによってこの上動（上方向移動）が制限される。この状態から
更にハンドル１０を正方向回転させることにより、アーム９を基準とする支え状態でもっ
て、環状パッキン６を更に圧縮しつつハンドル軸１３と共に蓋５が下動（下方向移動）し
、環状パッキン６の更なる圧縮状態となり、チャンバー４内が気密状態となる。抑え部８
の上辺８Ａには、第１検出イッチ１５が設けられているため、アーム９の自由端が上動（
上方向移動）して抑え部８の上辺８Ａに当接したとき、第１検出イッチ１５が作動（この
場合はスイッチＯＮ）する。
【００３９】
この第１検出スイッチ１５が作動（この場合はスイッチＯＮ）することによって、コン
トロールボックス２Ａ内に設けた制御部（図示せず）によってロックソレノイド装置２０
が通電され、ロックピン２１がコイルスプリング２５に抗して吸引位置へ引っ込み、ロッ
ク受け部１６を差し込み部１８に差し込み可能状態となる。なお、ロックソレノイド装置
２０が通電されるタイミングとして、電源スイッチボタン２６のＯＮ操作によって、蒸気
滅菌器１の電源が印加された状態（電源投入状態）で、ロックソレノイド装置２０が通電
されるように構成してもよい。
【００４０】
このように蓋５を閉めてチャンバー４内を気密状態とし、ロックソレノイド装置２０が
通電状態となっている状態で、ロック受け部１６を差し込み部１８に差し込む。ロック受
け部１６が差し込み部１８の正規位置へ差し込まれた状態で、鎖１７は、図１及び図３に
示すように、略伸張した状態で鎖１７の中間部がハンドル１０の側面を斜めに横切るよう
に延びて、ロック受け部１６とハンドル１０の中心部とに亘る状態となる。このようにロ
ック受け部１６が差し込み部１８の正規位置へ差し込まれた状態で、第２検出スイッチ１
９が作動（この場合はスイッチＯＮ）する。なお、このように差し込み部１８へロック受
け部１６が挿入された状態を保持する保持機構を設ければ、差し込み部１８へ差し込まれ
たロック受け部１６の保持が安定する。即ち、保持機構としては、差し込み部１８へロッ
ク受け部１６が若干の抵抗をもって挿入され、またこの抵抗に抗して引き抜こうとすれば
引き抜き可能な仮止め機構を設けてもよい。
【００４１】
このように、第２検出スイッチ１９によりロック受け部１６が差し込み部１８の正規位
置へ差し込まれた状態が検出されたことにより、前記制御部（図示せず）によって、ロッ
クソレノイド装置２０が非通電状態となり、上記のようにロックピン２１がコイルスプリ
ング２５によって突出し、突出したロックピン２１がロック受け部１６に形成した係止孔
１６Ａに侵入して、ロック受け部１６の引き抜き阻止状態（阻止位置）となると共に、突
出したロックピン２１によって第３検出スイッチ２４が作動（この場合はスイッチＯＮ）
する。このように、第１検出イッチ１５、第２検出スイッチ１９、及び第３検出スイッチ
２４が作動（この場合はスイッチＯＮ）したことにより、前記制御部（図示せず）によっ
て滅菌動作の開始可能状態（滅菌動作の開始待機状態）となる。
【００４２】
なお、第１検出スイッチ１５、第２検出スイッチ１９、第３検出スイッチ２４が、第１
検出スイッチ１５、第２検出スイッチ１９、第３検出スイッチ２４の順に作動したとき、
滅菌動作開始可能状態となるように前記制御部（図示せず）によって制御し、この順序に
よらない場合は滅菌動作開始可能状態とならないように前記制御部（図示せず）によって
制御すれば、蒸気滅菌器１の正規操作を達成できるものとなる。この場合、滅菌動作開始
可能状態とならないときは、前記制御部（図示せず）によって警告ランプの点灯またはブ
ザーの作動等の警報装置によって、滅菌動作開始可能状態になっていないことを警告すれ
ば、使用者はそれに気付き、電源スイッチボタン２６を一旦ＯＦＦした後再度ＯＮするこ
とにより、最初から操作をやり直すことができる。
【００４３】
上記滅菌動作の開始可能状態（滅菌動作の開始待機状態）において、滅菌条件である滅
菌温度及び滅菌時間を設定する。この滅菌温度の設定は、温度設定スイッチボタン２８を
ＯＮし、次に表示部３２を見つつアップスイッチボタン３０及びダウンスイッチボタン３
１によって所定の温度設定を行なう。また、滅菌時間の設定は、時間設定スイッチボタン
２９をＯＮし、次に表示部３２を見つつアップスイッチボタン３０及びダウンスイッチボ
タン３１によって所定の時間設定を行なう。この設定操作においてリセットスイッチボタ
ン２７をＯＮすることにより、設定のし直しが可能である。
【００４４】
このようにして滅菌条件の設定が終了した後、コントロールボックス２Ａに設けたスタ
ートボタン２３を押す（ＯＮする）ことにより、それに対応したコントロールボックス２
Ａ内のスタートスイッチが作動（この場合はスイッチＯＮ）して、滅菌動作の開始が指令
され、前記制御部（図示せず）によって滅菌動作がスタートする。
【００４５】
上記のように、突出したロックピン２１がロック受け部１６に形成した係止孔１６Ａに
侵入して、ロック受け部１６の引き抜き阻止状態となれば、鎖１７は上記のように、略伸
張した状態で鎖１７の中間部がハンドル１０の側面を横切るように延びて、ロック受け部
１６とハンドル１０の中心部とに亘る状態を維持するものとなる。このため、図３に二点
鎖線で示すように、蓋５を開く方向へハンドル１０を回転させようとすれば、ハンドル１
０の側面に鎖１７が係止して、鎖１７によってそれ以上にハンドル１０を回転させること
が阻止される。この場合に生じる若干のハンドル１０の回転、即ち、ハンドル１０の側面
に鎖１７が係止してハンドル１０の回転が阻止されるまでは、環状パッキン６の圧縮状態
を若干緩める方向となるが、この状態においても、環状パッキン６はチャンバー４の上面
開口３に当接した圧縮状態を保っているため、これによってチャンバー４内の気密が損な
われることはない。これは、ハンドル１０を例えば１８０度回転させても、環状パッキン
６のシール性に影響を及ぼさない様に、雄螺子１１と雌螺子部１２のピッチを設定するこ
とにより達成される。鎖１７は、このような機能が達成される長さに設定されている。
【００４６】
滅菌動作の開始によって、前記制御部（図示せず）によって、チャンバー４内に自動的
に所定量の水が注水される。なお、予めチャンバー４内に所定量の水を溜めておく構成で
もよい。また、この滅菌動作の開始によってチャンバー４内底部に設けたヒータ（図示せ
ず）に通電され、チャンバー４内の水が加熱蒸発し、前記制御部（図示せず）によって滅
菌動作が進行し、所定の滅菌工程、チャンバー４内の排気工程等、所定の工程を行なって
滅菌動作が終了する。
【００４７】
蒸気滅菌器１は、チャンバー４内の圧力を検知する圧力検知部（圧力センサとも称する
）２２を備えている。これは、チャンバー４内の排気工程によって、チャンバー４内が安
全な圧力低下状態になったことを検出することが一つの目的である。滅菌動作の終了によ
ってチャンバー４内の圧力が所定値以下（圧力ゼロ）に低下する。この低下した圧力を圧
力検知部２２が検知し、且つチャンバー４内の温度が所定値以下（例えば６０〜８０℃以
下）に低下したことを温度センサ（図示せず）が検知したことにより、前記制御部（図示
せず）によってロックソレノイド装置２０が通電状態となる。滅菌動作の終了によりチャ
ンバー４内の圧力が所定値以下に低下した状態で、表示部３２に滅菌動作の終了を知らせ
る表示が出る。この表示は、例えば、「滅菌動作の終了」の文字等で表示部３２に表示さ
れる。また、このときのチャンバー４内の圧力は、圧力計３３の表示を見て安全確認がで
きる。
【００４８】
このようにロックソレノイド装置２０の通電によって、ロックピン２１が吸引されてロ
ック受け部１６に形成した係止孔１６Ａから退避し、ロック受け部１６の引き抜き阻止状
態が解除される。このためロック受け部１６を差し込み部１８から引き抜くことによって
、鎖１７によるハンドル１０の回転阻止が解除され、ハンドル１０を自由に回転すること
ができる。これと共に第３検出スイッチ２４が作動（この場合はスイッチＯＦＦ）し、そ
の信号が前記制御部（図示せず）に入力される。そして、このハンドル１０の逆方向回転
によって、上記とは逆の作用によって、蓋５が上方へ移動してチャンバー４の上面開口３
から離れると共に、アーム９の自由端が下動（下方向移動）して抑え部８の上辺８Ａから
離れるため、第１検出スイッチ１５が作動（この場合はスイッチＯＦＦ）し、その信号が
前記制御部（図示せず）に入力される。
【００４９】
このようにして蓋５が上方へ移動してチャンバー４の上面開口３から離れたことを確認
した状態で、抑え部８から離れる方向へアーム９を回動させることによって、図３に二点
鎖線で示すように、蓋５をチャンバー４の上面開口３から外れた位置へ回動し、チャンバ
ー４内の被滅菌物の取り出しを行なうことができる。
【００５０】
上記のように、実施例２では、蒸気滅菌器１の電源投入、または蓋５による開口３の閉
止に伴うアーム９の上動位置が第１検出スイッチ１５にて検出されたことにより、ロック
ソレノイド装置２０に通電されてロック受け部１６が差し込み部１８の正規位置へ差し込
み可能状態となり、ロック受け部１６の正規位置への差し込みを第２検出スイッチ１９が
検出したことによりロックソレノイド装置２０が非通電になり、ロックピン２１がロック
受け部１６の引き抜き阻止位置へ突出して蓋５を開く方向へのハンドル１０の回転は鎖１
７がハンドル１０の側面に係止することによって阻止されると共にロックピン２１の係止
孔１６Ａ内への突出にて第３検出スイッチ２４が作動して滅菌動作開始可能状態となり、
滅菌動作終了によりチャンバー４内の圧力低下が圧力検知部２２により検出されたとき、
ロックソレノイド装置２０に通電されてロックピン２１が退避し、ロック受け部１６の引
き抜き阻止を解除するものである。
【００５１】
上記のように、実施例１及び実施例２では、滅菌動作が開始した後は、滅菌動作中は勿
論のことチャンバー４内の圧力が上昇した状態であれば、鎖１７によりハンドル１０の回
転により蓋５を開くことができないように維持できるため、蒸気の流出による危険を回避
できる。そして、チャンバー４内の圧力が所定値以下（実施例ではゼロ気圧・・・大気圧
）に低下すれば、ハンドル１０の回転により蓋５を開くことができるため、チャンバー４
内の圧力が高いときに蓋５が開かれることにより生じる蒸気の流出による危険を回避でき
る。また、既に使用中である蒸気滅菌器に対して、本発明の蓋５の閉止保持装置を追加す
ることによって、既存の蒸気滅菌器の安全性を容易に向上させることができるものとなり
、既存の蒸気滅菌器の買い替えなしに安全に継続使用が可能となり、経費節減効果も十分
発揮できるものとなる。
【００５２】
上記実施例１及び２では、停電などにより蒸気滅菌器１の電源が切れたときの安全対策
も講じられている。即ち、蒸気滅菌器１が滅菌動作中はチャンバー４内の圧力が高いため
、この状態において蒸気滅菌器１の電源が切れた場合、そのとき蓋５が開かれればチャン
バー４内の上記が噴出して危険である。そのために、蒸気滅菌器１の電源が切れたときは
、ロックソレノイド装置２０がＯＦＦ（非通電）となって、ロックピン２１がロック受け
部１６の引き抜き阻止状態を維持したままとなるようにすることにより、この危険を回避
できるものとなる。
【００５３】
なお、上記実施例１及び２では、鎖１７がハンドル１０の側面に係止してハンドル１０
の回転を阻止するようにしているが、これに替わる構成でもって、鎖１７がハンドル１０
に係止してハンドル１０の回転が阻止されるようにすることができる。例えば、ハンドル
１０が図示のように矩形環状に形成された操作部とハンドル軸１３に取り付けるための装
飾板１０Ｓによって構成されている場合は、その装飾板１０Ｓと他の辺ＣまたはＤとの間
に形成された中空部１０Ｐが存在するため、鎖１７がこの中空部１０Ｐを通ってロック受
け部１６を差し込み部１８へ差し込むようにしてもよい。この場合、鎖１７が中空部１０
Ｐの周縁部に係止して、ハンドル１０の回転が阻止されるようになる。
【００５４】
ハンドル１０は中央部がハンドル軸１３に取り付けられるため、ハンドル１０の形状は
、中央部がハンドル軸１３に取り付けられるようになった他の形状（例えば、正方形環状
ハンドル、中央部から左右に延びた棒または板状ハンドル、中央部から放射状に延びた形
状のハンドル、星型形状ハンドル、楕円形ハンドル、または自動車ハンドルのように中央
部から半径方向へ延びた腕で支えられた円形ハンドル等々）であってもよく、いずれにし
ても、鎖１７がハンドル１０の外側部または内側部に係止して、ハンドル１０の回転が阻
止される構成であればよい。そのために、鎖１７がハンドル１０の一部に係止するように
、ハンドル１０の外形が非円形またはハンドル１０に鎖１７が通る中空部が形成されてお
ればよい。
【００５５】
また、上記実施例１及び２では、差し込み部１８は、本体部２の上面側の奥に、上方へ
突出して設けたコントロールボックス２Ａの正面に、ハンドル１０の上面よりも低位置に
形成されているが、ロック受け部１６の差し込み操作のし易さを考慮して、本体部２の上
面側（上面部と称してもよい）のいずれかの箇所に差し込み部１８を形成すればよく、例
えば、抑え部８の一部に差し込み部１８を形成した構成でもよい。
【００５６】
更に、上記実施例１及び２において、差し込み部１８からロック受け部１６を引き抜い
ている状態において、ハンドル１０の一部分にロック受け部１６及び鎖１７を収納する収
納部１０Ｈを設け、この収納部１０Ｈにロック受け部１６及び鎖１７を収納すれば、ロッ
ク受け部１６及び鎖１７がハンドル１０の回転の邪魔にならないため、ハンドル１０を円
滑に回転させることができる。図示のハンドル１０では、図３に示すように、上面開口の
円形状の収納部１０Ｈを装飾板１０Ｓに窪ませて形成しており、図３に二点鎖線で示すよ
うに、収納部１０Ｈにロック受け部１６及び鎖１７を収納することにより、その目的を達
成している。また、上記のような他の形態のハンドルにおいても、ロック受け部１６及び
鎖１７の収納部１０Ｈをハンドル１０の一部分に設ければよい。
【産業上の利用可能性】
【００５７】
本発明は、上記実施例に限定されず、縦型チャンバー方式の種々の形態の蒸気滅菌器に
適用できるものであり、本発明の技術範囲において種々の形態を包含するものである。
【図面の簡単な説明】
【００５８】
【図１】本発明に係る蒸気滅菌器の蓋閉止保持状態における全体斜視図である。（実施例１、２）
【図２】本発明に係る蒸気滅菌器の蓋を開いて横に回動させた状態を示す斜視図である。（実施例１、２）
【図３】本発明に係る蒸気滅菌器の蓋を閉じた状態から横に回動させる状態を示す平面図である。（実施例１、２）
【図４】本発明に係る蒸気滅菌器の蓋の閉止保持状態を示す側面図である。（実施例１、２）
【図５】本発明に係る蒸気滅菌器のハンドルを回転させて蓋を閉じた状態の縦断側面図である。（実施例１、２）
【図６】本発明に係る蒸気滅菌器のハンドルを回転させて蓋を開いた状態の縦断側面図である。（実施例１、２）
【図７】本発明に係る蒸気滅菌器のロック受け部とロックソレノイド装置並びに関連する検出スイッチの関係を示す斜視図である。（実施例１、２）
【図８】本発明に係る蒸気滅菌器のロック受け部とロックソレノイド装置並びに関連する検出スイッチの関係を示す縦断正面図である。（実施例１、２）
【図９】本発明に係る蒸気滅菌器のコントロールボックスに配置したスイッチ操作部等の配置構成図である。（実施例２）
【符号の説明】
【００５９】
１・・・・・蒸気滅菌器
２・・・・・本体部
２Ａ・・・・コントロールボックス
３・・・・・上面開口
４・・・・・縦型チャンバー
５・・・・・蓋
６・・・・・環状パッキン
７・・・・・支持部
８・・・・・抑え部
９・・・・・アーム
１０・・・・ハンドル
１１・・・・雄螺旋
１２・・・・雌螺旋
１３・・・・ハンドル軸
１５・・・・第１検出スイッチ
１６・・・・ロック受け部
１７・・・・鎖
１８・・・・差し込み部
１９・・・・第２検出スイッチ
２０・・・・ロックソレノイド装置
２１・・・・ロックピン
２２・・・・圧力検知部
２３・・・・スタートボタン
２４・・・・第３検出スイッチ
２５・・・・コイルスプリング
２６・・・・電源スイッチボタン
２７・・・・リセットスイッチボタン
２８・・・・温度設定スイッチボタン
２９・・・・時間設定スイッチボタン
３０・・・・アップスイッチボタン
３１・・・・ダウンスイッチボタン
３２・・・・表示部
３３・・・・圧力計
【図１】
2010131252.tif 000003
【図２】
2010131252.tif 000004
【図３】
2010131252.tif 000005
【図４】
2010131252.tif 000006
【図５】
2010131252.tif 000007
【図６】
2010131252.tif 000008
【図７】
2010131252.tif 000009
【図８】
2010131252.tif 000010
【図９】
2010131252.tif 000011